(57)【特許請求の範囲】
【請求項１】
第一部材の縁部と第二部材の縁部とを接合することにより外殻が形成される消音器であって、
前記第一部材の縁部は、少なくとも一部において前記第二部材の内側と接触し、かつ、少なくとも一部において前記第二部材の外側と接触し、
前記第一部材の縁部と前記第二部材の縁部は、互いに接触しない部分において２以上の開口部を形成し、
前記第一部材の縁部と前記第二部材の縁部は、全周にわたって、外側に屈曲した形状であり、
前記第一部材の縁部において、前記第二部材の内側と接触する縁部が有する外側に屈曲した部分は、前記第二部材の外側と接触する縁部が有する外側に屈曲した部分より短く、
前記第二部材の縁部において、前記第一部材の内側と接触する縁部が有する外側に屈曲した部分は、前記第一部材の外側と接触する縁部が有する外側に屈曲した部分より短いことを特徴とする消音器。
【請求項２】
開口部は、他の開口部と対向する位置に形成され、
前記第一部材の縁部と前記第二部材の縁部の内側とが接合された部分により形成される角の数は、前記第一部材の縁部と前記第二部材の縁部の外側とが接合された部分により形成される角の数と同一である請求項１記載の消音器。
【発明の詳細な説明】
【技術分野】
【０００１】
本発明は、消音器に関する。
【背景技術】
【０００２】
従来から、自動車の排気管等に設けられる消音器において、複数の部材を接合することにより形成される外殻が広く用いられている。しかし、複数の部材を接合するためには、接合部分の形状を高い精度で加工する必要があり、接合部分の形状精度が低い場合においては隙間が生じる等の問題があった。そこで、外殻を形成する際に接合部分に隙間が生じることを防止した消音器が提案されている。
【０００３】
このような消音器に関する従来技術として、特許文献１には、口拡げ部と、フランジと、周壁を備える構成が提案されている。これらを備える構成により、特許文献１が開示する消音器は、外殻（シェル）を形成する際に、接合部分（嵌合部分）に隙間が生じることを抑制し、製造工程の効率化を図ることができるとされている。
【先行技術文献】
【特許文献】
【０００４】
【特許文献１】特許５６７４８４９号公報
【発明の概要】
【発明が解決しようとする課題】
【０００５】
しかしながら、特許文献１が開示する消音器は、第一部材（第１の加工品）の縁部（開口端部）に、第二部材（第２の加工品）の縁部を嵌合し、嵌合部分で全周にわたって溶接するものである。このため、第一部材の縁部又は第二部材の縁部の形状精度が低く、第一部材の縁部の周長が第二部材の縁部の周長より大きい場合、口拡げ部等を備える構成としてもなお、接合部分に隙間が生じるおそれがある。また、第一部材の縁部又は第二部材の縁部の形状精度が低く、第一部材の縁部の周長が第二部材の縁部の周長より小さい場合、嵌合することが不可能となるおそれがある。
【０００６】
本発明に係る消音器は、上記課題を解決するためになされたものであり、外殻を形成する複数の部材において、接合部分の形状精度が低い場合においても、安定した接合を可能とするものである。
【課題を解決するための手段】
【０００７】
本発明に係る消音器は、第一部材の縁部と第二部材の縁部とを接合することにより外殻が形成される消音器であって、第一部材の縁部は、少なくとも一部において第二部材の内側と接触し、かつ、少なくとも一部において第二部材の外側と接触し、第一部材の縁部と第二部材の縁部は、互いに接触しない部分において２以上の開口部を形成し、第一部材の縁部と第二部材の縁部は、全周にわたって、外側に屈曲した形状であり、第一部材の縁部において、第二部材の内側と接触する縁部が有する外側に屈曲した部分は、第二部材の外側と接触する縁部が有する外側に屈曲した部分より短く、第二部材の縁部において、第一部材の内側と接触する縁部が有する外側に屈曲した部分は、第一部材の外側と接触する縁部が有する外側に屈曲した部分より短いことを特徴とする。
【０００８】
本発明に係る消音器において、開口部は、他の開口部と対向する位置に形成され、
前記第一部材の縁部と前記第二部材の縁部の内側とが接合された部分により形成される角の数は、前記第一部材の縁部と前記第二部材の縁部の外側とが接合された部分により形成される角の数と同一であることが好ましい。
【発明の効果】
【０００９】
本発明に係る消音器は、第一部材の縁部と第二部材の縁部とを接合することにより外殻が形成され、第一部材の縁部は、少なくとも一部において第二部材の内側と接触し、かつ、少なくとも一部において第二部材の外側と接触し、第一部材の縁部と第二部材の縁部は、互いに接触しない部分において２以上の開口部を形成するため、接合部分の形状精度が低い場合においても、安定した接合が可能となる。
【図面の簡単な説明】
【００１０】
【図１】本発明に係る消音器の一例を示す斜視図である。
【図２】本例の消音器を示す正面図である。
【図３】本例の消音器における第一部材を示す斜視図である。
【図４】本例の消音器における第一部材を示す平面図である。
【図５】本例の消音器における第二部材を示す斜視図である。
【図６】本例の消音器における第二部材を示す平面図である。
【図７】図１のＡ−Ａ線による本例の消音器の断面図である。
【発明を実施するための形態】
【００１１】
本発明を実施するための形態について図を参照しながら説明する。
【００１２】
図１及び図２に示すように、本例の消音器１０は、第一部材２０の縁部２１と第二部材３０の縁部３１とを接合することにより外殻４０が形成される構成となっている。また、第一部材２０の縁部２１と第二部材３０の縁部３１は、互いに接触しない部分において開口部５０を形成する構成となっている。
【００１３】
図３及び図４に示すように、第一部材２０は、略直方体で下側が開口し、角に丸みを有する形状となっている。縁部２１は、上方に凸となる略円弧状に湾曲した湾曲部２２を有する。縁部２１は、屈曲部２３を有し、段状に屈曲した形状である。図４に示すように、縁部２１は、全周にわたって屈曲部２３を有し、外側に屈曲した形状となっている。本例の消音器１０において、第一部材２０は、ステンレス材からなり、プレス加工によって成形された部材である。
【００１４】
図５及び図６に示すように、第二部材３０は、略直方体で上側が開口し、角に丸みを有する形状となっている。縁部３１は、下方に凸となる略円弧状に湾曲した湾曲部３２を有する。縁部３１は、屈曲部３３を有し、段状に屈曲した形状である。図６に示すように、縁部３１は、全周にわたって屈曲部３３を有し、外側に屈曲した形状となっている。本例の消音器１０において、第二部材３０は、ステンレス材からなり、プレス加工によって成形された部材である。
【００１５】
外殻４０は、縁部２１及び縁部３１を溶接により接合することで形成される。外殻４０において、第一部材２０は上方に位置し、第二部材３０は下方に位置する構成となっている。湾曲部２２及び湾曲部３２は、それぞれ対応する位置に設けられるため、縁部２１及び縁部３１が接合された場合においても、縁部２１及び縁部３１は、湾曲部２２及び湾曲部３２において、互いに接触しない構成となっている。第一部材２０は下側が開口した形状であり、第二部材３０は上側が開口した形状であるため、これらの形状により、外殻４０は、消音を行うための空間を内部に有する構造となっている。
【００１６】
開口部５０は、縁部２１及び縁部３１が互いに接触しない部分である湾曲部２２及び湾曲部３２において形成される。湾曲部２２は、上方に凸となる略円弧状に湾曲した形状であり、湾曲部３２は、下方に凸となる略円弧状に湾曲した形状であるため、これらにより形成される開口部５０は、略円状の形状となっている。消音器１０の使用時において、開口部５０には、排気管が嵌合される構成となっている。
【００１７】
図４に示すように、本例の消音器１０において、第一部材２０の縁部２１は、湾曲部２２を境界として、縁部２１ａ及び縁部２１ｂに分けることができる。本例の消音器１０において、湾曲部２２を境界とした一方の縁部２１ａは、他方の縁部２１ｂより屈曲部２３が短い構成となっている。また、図６に示すように、第二部材３０の縁部３１は、湾曲部３２を境界として、縁部３１ａ及び縁部３１ｂに分けることができる。本例の消音器１０において、湾曲部３２を境界とした一方の縁部３１ａは、他方の縁部３１ｂより屈曲部３３が長い構成となっている。
【００１８】
図７に示すように、本例の消音器１０において、第一部材２０の縁部２１は、少なくとも一部において第二部材３０の内側と接触し、かつ、少なくとも一部において第二部材３０の外側と接触する構成となっている。
【００１９】
本例の消音器１０において、縁部２１ａは、縁部３１ａの内側と接触し、縁部２１ｂは、縁部３１ｂの外側と接触する構成となっている。また、図１及び図２に示すように、開口部５０においても、縁部２１ａは、縁部３１ａの内側と接触し、縁部２１ｂは、縁部３１ｂの外側と接触する構成となっている。
【００２０】
本例の消音器１０は、縁部２１及び縁部３１が互いに接触しない部分において２以上の開口部５０を設け、縁部２１ａを縁部３１ａの内側と接触させ、縁部２１ｂを縁部３１ｂの外側と接触させる構成となっている。これにより、第一部材又は第二部材のいずれか一方を他方に嵌合させる構成をとることなく、縁部２１及び縁部３１を安定して接合させることが可能となる。また、本例の消音器１０は、こうした構成とすることで、第一部材又は第二部材のいずれか一方を他方に嵌合させる構成をとることなく、簡易な構造からなる第一部材２０及び第二部材３０の２つの部材のみにより、外殻４０を形成することが可能となる。
【００２１】
本例の消音器１０は、縁部２１ａを縁部３１ａの内側と接触させ、縁部２１ｂを縁部３１ｂの外側と接触させる構成となっているため、第一部材又は第二部材のいずれか一方を他方に嵌合させる構成と比較すると、縁部２１又は縁部３２の形状精度が低い場合においても、安定して接合させることが可能となる。具体的には、本例の消音器１０は、縁部２１の周長が縁部３１の周長より大きい場合において、縁部２１ａを縁部３１ａの内側と接触させ、接触させた状態を維持しつつ、縁部２１ｂを縁部３１ｂの外側と接触させ、縁部２１及び縁部３２の接合を行うことで、接合部分に隙間が生じることを防止することができる。また、本例の消音器１０は、縁部２１の周長が縁部３１の周長より小さい場合において、縁部２１ｂを縁部３１ｂの外側と接触させ、接触させた状態を維持しつつ、縁部２１ａを縁部３１ａの内側と接触させ、縁部２１及び縁部３２の接合を行うことで、接合部分に隙間が生じることを防止することができる。
【００２２】
本例の消音器１０において、第一部材２０及び第二部材３０は、同一の形状からなる部材であり、一方の上下を反転し、縁部２１及び縁部３１を接合することにより外殻４０が形成される構成となっている。こうした構成とすることで、１種類の型により第一部材２０及び第二部材３０を製造することが可能となり、外殻４０の製造に必要なコストを削減することができる。
【００２３】
本例の消音器１０において、開口部５０は、縁部２１及び縁部３１が互いに接触しない部分である湾曲部２２及び湾曲部３２において形成される構成となっている。こうした構成とすることで、本例の消音器１０は、第一部材２０及び第二部材３０に孔を設けることなく、排気管等を嵌合させることが可能な外殻４０を形成することが可能となるため、外殻４０の製造に必要なコストを削減することができる。
【００２４】
本例の消音器１０において、開口部５０は２箇所に設けられ、一方の開口部５０は、他方の開口部５０と対向する位置に形成される構成となっている。こうした構成とすることで、本例の消音器１０は、縁部２１ａが縁部３１ａの内側と接触する部分と、縁部２１ｂが縁部３１ｂの外側と接触する部分とを、大きく二分することが可能となり、縁部２１及び縁部３１を安定して接合することができる。また、これにより、縁部２１ａ又は縁部２１ｂのいずれか一方を縁部３１の内側又は外側に接触させつつ、他方を縁部３１の内側又は外側に接触させ、縁部２１及び縁部３１を接合するといった作業が容易となる。
【００２５】
本例の消音器１０において、開口部５０は２箇所に設けられ、一方の開口部５０は、他方の開口部５０と対向する位置に形成される構成となっている。こうした構成とすることで、略直方体の形状である外殻４０において、縁部２１ａ及び縁部３１ａにより接合部分が構成される面と、縁部２１ｂ及び縁部３１ｂにより接合部分が構成される面は、向かい合う位置関係となる。これにより、縁部２１ａ及び縁部３１ａからなる接合部分により形成される角の数と、縁部２１ｂ及び縁部３１ｂからなる接合部分により形成される角の数は、いずれも２つとなる。縁部２１ａ及び縁部３１ａからなる接合部分により形成される角の数と、縁部２１ｂ及び縁部３１ｂからなる接合部分により形成される角の数が異なると、形成される角の数が多い縁部の形状精度を高め、一方の縁部を他方の縁部に嵌め込むように接合する必要があるが、本例の消音器１０において、縁部２１ａ及び縁部３１ａからなる接合部分により形成される角の数と、縁部２１ｂ及び縁部３１ｂからなる接合部分により形成される角の数は同一であるため、縁部の形状精度が低い場合においても、一方の縁部を他方の縁部に引っ掛けるように接合をすることが可能となり、縁部２１及び縁部３１が接合された場合においても、接合部分に隙間が生じることを防止することができる。
【００２６】
本例の消音器１０において、縁部２１及び縁部３１は、屈曲部２３及び屈曲部３３を有する段状に屈曲した形状となっており、縁部２１及び縁部３１が互いに重なり合った部分において接合される構成となっている。こうした構成とすることで、本例の消音器１０は、縁部２１及び縁部３１を接合させる際に、縁部２１と屈曲部３３の位置を対応させることが可能となり、また、縁部３１と屈曲部２３の位置を対応させることが可能となる。具体的には、屈曲部３３によって縁部３１ａの内側に形成された段差において縁部２１ａを係止させ、屈曲部２３によって縁部２１ｂの内側に形成された段差において縁部３１ｂを係止させることで、縁部２１及び縁部３１は、接合を行う位置において重なり合うこととなる。これにより、本例の消音器１０において、溶接の作業を行う者又は装置は、溶接を行う位置を認識することが容易となり、縁部２１及び縁部３１を接合する作業を効率的に行うことができる。
【００２７】
本例の消音器１０において、縁部２１及び縁部３１は、段状に屈曲した先端の部分が互いに重なり合うことにより、外殻４０の側面上において接合される構成となっている。このため、本例の消音器１０において、縁部２１及び縁部３１は、外殻４０から外側へ突出しない構造となっている。これにより、本例の消音器１０は、狭い空間においても設置することが可能となる。また、本例の消音器１０は、縁部２１及び縁部３１を接合する際に、その他の部材や突出した形状を必要としないため、こうした構成をとらない他の消音器と比較すると、外殻４０の重量を軽減することが可能となる。
【００２８】
本例の消音器１０において、縁部２１及び縁部３１は、外側に屈曲した形状となっている。これにより、第一部材２０及び第二部材３０を成形する際に、安定したプレス加工を行うことが可能となる。また、縁部２１及び縁部３１は、屈曲部２３及び屈曲部３３を有する構成となっているため、こうした構成をとらないものと比較すると、高い剛性を確保することが可能となる。
【００２９】
本例の消音器１０において、外殻４０は、第一部材２０及び第二部材３０からなる構成となっているが、本発明の消音器において、外殻は、他の部材を含むものであってもよく、本例の構成に限定されない。
【００３０】
本例の消音器１０において、開口部５０は、２箇所に設けられる構成となっているが、本発明の消音器において、開口部の数は、２以上であればよく、本例の構成に限定されない。
【００３１】
本例の消音器１０において、縁部２１及び縁部３１は、屈曲した形状となっているが、本発明の消音器において、第一部材の縁部又は第二部材の縁部は、少なくとも一方が屈曲した形状であればよく、本例の構成に限定されない。
【符号の説明】
【００３２】
１０  消音器
２０  第一部材
２１  縁部
２２  湾曲部
２３  屈曲部
３０  第二部材
３１  縁部
３２  湾曲部
３３  屈曲部
４０  外殻
５０  開口部
【要約】
【課題】外殻を形成する複数の部材において、接合部分の形状精度が低い場合においても、安定した接合を可能とする。
【解決手段】第一部材２０の縁部２１と第二部材３０の縁部３１とを接合することにより外殻４０が形成され、第一部材２０の縁部２１は、少なくとも一部において第二部材３０の内側と接触し、かつ、少なくとも一部において第二部材３０の外側と接触し、第一部材２０の縁部２１と第二部材３０の縁部３１は、互いに接触しない部分において２以上の開口部５０を形成する構成とすることによって、接合部分の形状精度が低い場合においても、安定した接合が可能となる。
【選択図】図１【図１】
0006913412.tif 000002
【図２】
0006913412.tif 000003
【図３】
0006913412.tif 000004
【図４】
0006913412.tif 000005
【図５】
0006913412.tif 000006
【図６】
0006913412.tif 000007
【図７】
0006913412.tif 000008